(57)【特許請求の範囲】
【請求項１】
複数の噴孔を有する噴孔プレート、この噴孔プレートと共にキャビティを形成し端面が下流側に向かって拡径する弁座シート部を有する弁座、及び上記弁座シート部のシート面と離接して上記噴孔を開閉する先端弁部を有する弁体を備え、上記弁体が下流側へ移動することにより開弁すると共に上記先端弁部が上記噴孔プレートに当接することで開弁動作が終了する外開弁方式の燃料噴射装置であって、
上記弁座シート部の下流側には、上記シート面に連続して延在し且つ傾斜角を異にする延長テーパ面が形成され、上記先端弁部は、上記シート面と離接する弁体シート部と、開弁終了時に上記噴孔プレートに当接する底部とで形成され、上記噴孔の入口部は、上記先端弁部の最外周縁部より上記弁座の弁座軸心の径方向外側に配置されると共に上記噴孔の入口部の中心は、上記シート面の下流側への延長線と上記噴孔プレートが交差することにより上記噴孔プレートに形成される仮想円の内側に配置され、かつ上記噴孔の出口部の中心は、上記噴孔の入口部の中心に対して上記弁座軸心の径方向外側に配置され、かつ上記弁座軸心と上記弁座シート部のシート面とがなす狭み角をα（≦９０°）、上記弁座軸心と上記延長テーパ面とがなす狭み角をβ（≦９０°）、上記噴孔プレートの板厚方向と上記噴孔の軸心がなす噴孔角をγとした時に、|α−β|≦２０°、かつ|α−γ|≦３０°の関係を満たし、かつ上記噴孔の入口部の中心から上記キャビティの上記弁座軸心の軸心方向の高さをｈｃ、上記噴孔の径をｄとした時に、πｄ２/４（Ｓ１）≦ｄ＊ｈｃ（Ｓ２）、及びｈｃ≦１.５ｄの関係を満たすことを特徴とする燃料噴射弁。
【請求項２】
上記噴孔プレートには、開弁の終了時に上記先端弁部の底部と当接する凸部を設けたことを特徴とする請求項１に記載の燃料噴射弁。
【請求項３】
上記先端弁部の底部には、開弁の終了時に上記噴孔プレートと当接する凸部を設けたことを特徴とする請求項１に記載の燃料噴射弁。
【請求項４】
上記先端弁部の底部及び上記噴孔プレートには、それぞれ凸部又は凹部が設けられ、これら凹凸部が互いに嵌め合うことにより摺動部を構成したことを特徴とする請求項１に記載の燃料噴射弁。
【請求項５】
上記噴孔において、上記弁座軸心の径方向外側噴孔出口部に、くぼみ部を設けることによって、上記弁座軸心の径方向外側噴孔長さが、径方向内側噴孔長さより短くなされ、かつ上記噴孔の流路において、上記噴孔の入口部から上記くぼみ部までの間に最小断面積となる円柱部分を確保するように形成されていることを特徴とする請求項１〜４のいずれか１項に記載の燃料噴射弁。
【請求項６】
上記噴孔において、上記くぼみ部は、プレス成形で形成されていることを特徴とする請求項５記載の燃料噴射弁。
【請求項７】
上記噴孔において、上記噴孔の噴孔入口部にはダレを有し、このダレは上記弁座軸心の径方向に対して外側よりも内側のダレ量が大きくなされていることを特徴とする請求項１〜６のいずれか１項に記載の燃料噴射弁。 
【発明の詳細な説明】
【技術分野】
【０００１】
この発明は、自動車の内燃機関などへの燃料供給に使用される燃料噴射弁に係り、特に噴霧特性における微粒化の促進、及び温度や雰囲気圧等の変化に伴う流量特性（静的流量、動的流量）の変化の抑制を図ったものである。
【背景技術】
【０００２】
近年、自動車などの排出ガス規制が強化される中、燃料噴射弁から噴射される燃料噴霧噴射方向の自由度及び微粒化の向上が求められており、特に燃料噴霧の微粒化についてはこれまで既に各種の検討がなされている。
例えば、特許文献１に記載の燃料噴射弁では、噴孔プレートと弁座の間に燃料通路と噴孔とを連通する円盤状の燃料キャビティが設けられ、キャビティの軸方向高さが外周端に向かって低減するテーパ状となる形状が開示されている。燃料シート部から燃料キャビティ中央部に流れ込んだ燃料は、その流れの方向を変えて中央部から燃料キャビティの径方向外側に向かって流れ、噴孔へと突入する。その際に、軸方向高さが外周側に向かってテーパ状に低減していることから、燃料は速度を維持したまま噴孔へと突入し、噴射された燃料の微粒化が促進される構成となっている。
【０００３】
又、例えば特許文献２に記載の燃料噴射弁では、弁体が下流側へ移動するときに開弁する外開弁方式において、弁体が弁座に当接するシート部より下流側に噴射孔を有するプレートを設けるとともに、プレートと弁体の端面の間に開弁時に噴射孔に通ずるキャビティを設けており、燃料シート面を通過した燃料が、外周部より弁座中心に向かうことで流れが加速されて噴孔へ突入するため、燃料噴霧の微粒化が促進される構成となっている。
【０００４】
又、例えば特許文献３に記載の燃料噴射弁（特許文献３の図１参照）においては、シート部を通過した燃料は、例えば円筒形に構成されたキャビティ部を通過し、プレートに設けられた噴孔より噴射されると記載されている。このような構成においては、シート部を通過した燃料は、キャビティ内で流れが反転又は大きく屈折することなく噴孔へと到達し、噴射される。
【０００５】
又、例えば特許文献４に記載の燃料噴射弁（特許文献４の図３Ａ参照）の構成においては、シート部を通過した燃料の主流が、噴孔の燃料噴射弁軸心側の内壁面に直接衝突するように噴孔が配置されている。シートを通過した燃料は、噴孔入口部で剥離して液膜状となり、更に噴孔壁に衝突して押し付けられることで噴孔の曲率に沿った流れとなり、噴孔内で空気との混合が促進され、噴孔の出口から三日月状の液膜として拡散され、燃料の微粒化が促進されるとしている。
【先行技術文献】
【特許文献】
【０００６】
【特許文献１】特開２００３−１５５９６５号公報
【特許文献２】特開２００７−７１１０５号公報
【特許文献３】特開２００２−５３１７７０号公報
【特許文献４】特開２０１０−１３８９１４号公報
【発明の概要】
【発明が解決しようとする課題】
【０００７】
特許文献１及び特許文献２では、燃料流路内で少なくとも一度は燃料流れが反転しており、流れの反転時に燃料の圧力損失が発生する。このため、圧力損失した分、噴孔出口部における流速が低下してしまうことから、噴射される燃料の空気との相対速度が低下し、空気が燃料液滴を分裂させるせん断力が低下、すなわち燃料噴霧の微粒化も十分なされない問題点がある。
【０００８】
一般的に、燃料噴霧の微粒化の手法として噴孔の小径化、多噴孔化が知られているが、特許文献３の構成で噴孔を多噴孔化した場合、各噴孔の距離が接近し、各噴孔から噴射された液柱が噴孔の下流側で衝突することにより燃料噴霧の微粒化が妨げられる問題や、各噴孔の距離が接近しすぎるためにプレートの強度上配置できないなどの問題が発生する。
特許文献３の弁体先端形状、キャビティ部構成において、多噴孔配置するためには、キャビティ径を拡大する必要があり、その場合上記キャビティ部の体積が大きくなってしまうことから、雰囲気変化に伴う流量変化（静的流量、動的流量）が大きくなってしまう問題が生じる。
特許文献４では、噴孔部で燃料流れを急変させるような構成となっていることから、噴孔部において大きく圧力損失が発生し、噴孔出口部における流速が低下し、従って燃料噴霧の微粒化も十分なされない問題点がある。
この発明は、このような問題点を解決することを目的とするものである。
【課題を解決するための手段】
【０００９】
この発明に係わる燃料噴射弁は、複数の噴孔を有する噴孔プレート、この噴孔プレートと共にキャビティを形成し端面が下流側に向かって拡径する弁座シート部を有する弁座、及び上記弁座シート部のシート面と離接して上記噴孔を開閉する先端弁部を有する弁体を備え、上記弁体が下流側へ移動することにより開弁すると共に上記先端弁部が上記噴孔プレートに当接することで開弁動作が終了する外開弁方式の燃料噴射装置であって、
上記弁座シート部の下流側には、上記シート面に連続して延在し且つ傾斜角を異にする延長テーパ面が形成され、上記先端弁部は、上記シート面と離接する弁体シート部と、開弁終了時に上記噴孔プレートに当接する底部とで形成され、上記噴孔の入口部は、上記先端弁部の最外周縁部より上記弁座の弁座軸心の径方向外側に配置されると共に上記噴孔の入口部の中心は、上記シート面の下流側への延長線と上記噴孔プレートが交差することにより上記噴孔プレートに形成される仮想円の内側に配置され、かつ上記噴孔の出口部の中心は、上記噴孔の入口部の中心に対して上記弁座軸心の径方向外側に配置され、かつ上記
弁座軸心と上記弁座シート部のシート面とがなす狭み角をα（≦９０°）、上記弁座軸心と上記延長テーパ面とがなす狭み角をβ（≦９０°）、上記噴孔プレートの板厚方向と上記噴孔の軸心がなす噴孔角をγとした時に、|α−β|≦２０°、かつ|α−γ|≦３０°の関係を満たし、かつ上記噴孔の入口部の中心から上記キャビティの上記弁座軸心の軸心方向の高さをｈｃ、上記噴孔の径をｄとした時に、πｄ２/４（Ｓ１）≦ｄ＊ｈｃ（Ｓ２）、及びｈｃ≦１.５ｄの関係を満たすものである。 
【発明の効果】
【００１０】
この発明に係る燃料噴射弁によれば、燃料シート部から噴孔出口部に至るまでの流路内の燃料流れの急変や剥離の抑制により、流路内での圧力損失が低減し、噴孔出口部における燃料速度が高い状態で噴射され、燃料と空気との相対速度が増大し、空気が燃料液滴を分裂させるせん断力が増すことで燃料噴霧の微粒化が促進される。
また同時に、前記キャビティ内における減圧沸騰が抑制され、減圧沸騰による燃料内の気泡の発生が抑制され、温度や雰囲気変化に伴う流量特性（静的流量、動的流量）の変化を抑制することができる。
また、前記キャビティ体積を小さく設定できることから、負圧雰囲気への噴射時に、閉弁完了後に前記キャビティ内の燃料の一部が負圧によって噴孔からエンジン吸気管に吸い出され流量変化（動的流量）が大きくなる問題や、キャビティ内より吸い出された燃料の流速が小さいために閉弁直後に粒径が粗悪な燃料噴霧が噴射されてしまう問題は解消される。
【図面の簡単な説明】
【００１１】
【図１】この発明の実施の形態１における燃料噴射弁を示す正断面図である。
【図２】この発明の実施の形態１における燃料噴射弁の閉弁状態を示す断面図である。
【図３】この発明の実施の形態１における燃料噴射弁の開弁状態を示す断面図である。
【図４】この発明の実施の形態１における燃料噴射弁の噴孔プレート部を示す拡大断面図である。
【図５】この発明の実施の形態１における燃料噴射弁において、α−β、α−γと粒径との関係を実験結果に基づいて示した説明図である。
【図６】この発明における燃料噴射弁の先端部形状の説明図である。
【図７】この発明の実施の形態２における燃料噴射弁の開弁状態を示す断面図である。
【図８】この発明の実施の形態３における燃料噴射弁の開弁状態である先端部を示す断面図である。
【図９】この発明の実施の形態４における燃料噴射弁の開弁状態を示す断面図である。
【図１０】この発明の実施の形態４における燃料噴射弁の第１変形例を示す断面図である。
【図１１】この発明の実施の形態４における燃料噴射弁の第２変形例を示す断面図である。
【図１２】この発明の実施の形態４における燃料噴射弁の第３変形例を示す断面図である。
【図１３】この発明の実施の形態５における燃料噴射弁の開弁状態を示す断面図である。
【図１４】この発明の実施の形態６における燃料噴射弁の開弁状態を示し、（ａ）は断面図、（ｂ）は燃料の流れを説明するための説明図である。
【図１５】この発明の実施の形態７における燃料噴射弁の開弁状態を示し、（ａ）は要部を拡大して示した断面図、（ｂ）は図（ａ）中の矢印Ｙ方向から見た平面図である。
【発明を実施するための形態】
【００１２】
以下、図面に基づいて、この発明の各実施の形態を説明する。
なお、各図間において、同一符号は同一あるいは相当部分を示す。
【００１３】
実施の形態１．
実施の形態１における燃料噴射弁は、弁座が下流側へ拡径するシート面を有し、弁座を開閉するため少なくともシート面が下流側へ拡径する弁体を有し、開弁の際には、弁体が下流側に移動し、弁体先端部と噴孔プレート上流面が当接することで開弁が終了する外開弁方式の構造をとり、また制御装置より動作信号を受けて弁体を動作させることで、燃料が、弁体と弁座のすきまを通って、弁座下流側に装着された噴孔プレートと弁体先端と弁座で囲まれたキャビティを通った後、前記噴孔プレートに複数設けられた噴孔から噴射されるタイプのものである。
以下、図１〜６に基づいて実施の形態１にかかる燃料噴射弁を説明する。
【００１４】
図１において、１は燃料噴射弁を示しており、２はソレノイド装置、３は磁気回路のヨーク部分であるハウジング、５はコイル、６は磁気回路の可動鉄心部分であるアマチュア、７は弁装置であり、弁装置７は弁体８と弁本体９と弁座１０で構成されている。また、弁座１０は磁気回路の固定鉄心の役割も果たしている。
弁本体９は、チューブ１１の外径部に圧入後、溶接されている。弁体８及びスリーブ４は、アマチュア６に圧入後、溶接されている。また、スプリング受け１６はチューブ１１に圧入されている。弁座１０には、噴孔プレート１５が溶接部１５aで結合されている。
噴孔プレート１５は、図２に示されるように、板厚方向に貫通し、燃料噴射弁１の軸心から離れる方向に所定角度傾斜している複数の噴孔１２が設けられている。
詳細は後述（００１７〜００２０）するが、弁座１０の弁座シート部１０ａは、弁座軸心１０ｓに対する傾斜角を異にする連続した２面、すなわち上流側のシート面１０ａ１とこのシート面１０ａ１に連続して延在し且つ傾斜角を異にする延在部、すなわち延長テーパ面１０ａ２とで構成されている。又、弁体８は、弁座シート部１０ａのシート面１０ａ１と離接して噴孔１２を開閉する先端弁部８ａを有し、この先端弁部８ａは、シート面１０ａ１と離接するドーム状の弁体シート部８ａ１と、開弁終了時に噴孔プレート１５に当接する略平面状の底部８ａ２とで構成されている。
【００１５】
次に、図１〜３によって燃料噴射弁の開閉動作について説明する。なお、図２は閉弁状態、図３は開弁状態を示している。
内燃機関の制御装置より燃料噴射弁１の駆動回路に動作信号が送られると、燃料噴射弁１のコイル５に電流が通電され、アマチュア６、弁座１０、弁本体９、ハウジング３、チューブ１１で構成される磁気回路に磁束が発生し、アマチュア６が弁座１０にひきつけられる。これにより、アマチュア６、及びスリーブ４と一体となった弁体８の弁体シート部８ａ１が、弁座シート部１０ａのシート面１０ａ１から離れて下流側に移動し、燃料は、弁座１０の内径部１０bと弁体８の隙間、及び弁体８のガイド部８ｂに設けられた平面部８ｃと内径部１０bの間の隙間を通り、弁座シート部１０ａを通って噴孔１２よりエンジン吸気管（図示せず）へ噴射される。弁体８の移動は図３に示すように、先端弁部８ａの底部８ａ２が噴孔プレート１５上流側端面に当接することで終了する。
【００１６】
内燃機関の制御装置より燃料噴射弁１の駆動回路に動作の停止信号が送られると、コイル５への通電を停止し、磁気回路中の磁束が減少して弁体８を閉弁方向に押しているスプリング１３により、弁体８が上流側へ移動することで弁座シート部１０ａ間の隙間は閉じて燃料噴射は終了する。閉弁時には弁座１０と噴孔プレート１５、および弁体８で囲まれるキャビティ１４が形成される。
【００１７】
次に、図４によって噴孔プレート１５部の構成を詳細に説明する。
噴孔入口部１２ａは、先端弁部８ａの最外周縁部８ａａより外側、すなわち噴孔プレート１５の上流面に弁座軸心方向に投影した形状輪郭より、弁座軸心１０ｓの径方向外側に配置されており、かつ噴孔入口部１２ａの中心は、弁座シート部１０ａのシート面１０ａ１の下流側への延長線（Ｃ１−Ｃ２）と噴孔プレート１５が交差（Ｃ）することにより噴孔プレート１５の上流側端面に形成される仮想円の内側に配置されており、かつ噴孔出口部１２ｂの中心は、噴孔入口部１２ａの中心に対して弁座軸心１０ｓの径方向外側に配置されている。なお、Ｌ１は先端弁部８ａの半径、Ｌ２は配列された噴孔１２と弁座軸心１０ｓ間の距離である。
【００１８】
更に、弁座軸心１０ｓとシート面１０ａ１がなす角の狭角をα（≦９０°）、延長テーパ面１０ａ２と弁座軸心１０ｓのなす角の狭角をβ（≦９０°）、噴孔プレート板厚方向の軸１２ｓと噴孔１２の軸心１２cがなす噴孔角をγとした時に、|α−β|≦２０°、かつ|α−γ|≦３０°を満たし、かつ噴孔入口部１２ａの中心からキャビティ１４内の弁座軸心１０ｓの軸心方向の高さをｈｃ、噴孔１２の径をｄとした時に、πｄ２/４（Ｓ１）≦ｄ＊ｈｃ（Ｓ２）、同時に、ｈｃ≦１.５ｄの関係を満たすことを特徴としている（図４及び段落００２０参照）。
【００１９】
前記の噴孔配置や、前記α、β、γの関係により、燃料シート部から噴孔出口部１２ｂに至るまでの流路内の燃料流れの急変や剥離が抑制され、流路内での圧力損失が低減し、噴孔出口部における燃料速度が高い状態で噴射され、燃料と空気との相対速度が増大し、空気が燃料液滴を分裂させるせん断力が増すことで燃料噴霧の微粒化が促進される。
【００２０】
図５は、α−β、α−γと粒径の関係を実験により求めた結果を示す図である。
この図５によって、|α−β|≦２０°、かつ|α−γ|≦３０°を満たすことで微粒化改善効果が得られていることが確認できる。
また同時に、キャビティ１４内における減圧沸騰が抑制され、減圧沸騰による燃料内の気泡の発生が抑制され、温度や雰囲気変化に伴う流量特性（静的流量、動的流量）の変化を抑制することができる。
また、πｄ２/４（Ｓ１）≦ｄ＊ｈｃ（Ｓ２）により、噴孔入口部面積≦噴孔直上部の燃料通過面積となり、噴孔直上部での絞り部形成による圧力損失を抑制することが出来る。
同時に、ｈｃ≦１.５ｄを満たすことで、キャビティ１４の体積を一定以下に抑えることができ、負圧雰囲気への噴射時に、閉弁完了後に前記キャビティ内の燃料の一部が負圧によって噴孔からエンジン吸気管に吸い出され流量変化（動的流量）が大きくなる問題や、キャビティ内より吸い出された燃料の流速が小さいために閉弁直後に粒径が粗悪な燃料噴霧が噴射されてしまう問題が解消される。
また、先端弁部８ａと噴孔プレート１５上流側平面が当接する構成にすることで、当接しない場合に対してよりキャビティ部の体積を小さく構成可能である。
【００２１】
さらに、この実施の形態１における弁体８は、先端弁部８ａの形状全体をＲ形状（ボールの一部）とするのではなく、その一部をＲ形状としたドーム状の形状にしている。これは、下記の理由による。
一般的に、燃料噴射弁は、所定の噴射流量を確保するためにシート部で一定の燃料通過面積を確保する必要があり、燃料通過面積は、主にシート径及び弁体８の軸心方向へのリフト量によって決定される。
図６（a）に示すように、先端弁部８ａの全体がＲ形状となっている場合は、燃料通過面積を所定量確保するために、ある程度の大きさのボール径を設定し一定の大きさのシート径を確保する必要がある。しかし、ボール径を大きく設定し、諸般の理由によりシート角を拡大する必要がある場合、シート径が必要以上に小さくなってしまい、結果的に必要流量が確保できなくなる問題がある。
【００２２】
また、その場合には、図６（ｂ）のようにシート径が小さく、かつシート角が大きくなっており、従って前記キャビティ部の体積が大きくなってしまう。これにより、前記の流量変化（動的流量）の増大や、微粒化の悪化の問題が発生する。
そこで、この実施の形態１においては、先端弁部８ａをボール形状とするのではなく、図６（ｃ）に示すように先端弁部８ａの一部をＲ形状とすることで、シート角を変更した際のシート径の変化が小さくなるように設定することが可能となる。（図６（ｄ）参照）
【００２３】
従って、この実施の形態１においては、燃料通路面積を確保しつつシート角を自由に設定可能であり、かつキャビティ１４の体積を小さく保つことが可能である。
なお、シート部における燃料通過面積を確保するために、弁体８のリフト量を増加させる手法については、弁体８と固定鉄心のエアギャップが増加することで弁体８の動作性が悪化する問題点があるため、極力用いない。
この実施の形態１において、図１〜１５で示す弁体の先端弁部８ａの形状は、円錐形となっているが、傘状以外の形状についてもこの発明の要旨を逸脱しない範囲で変更可能とする。
【００２４】
実施の形態２．
図７に基づいて実施の形態２にかかる燃料噴射弁を説明する。
図７は、燃料噴射弁の開弁状態を示しており、この実施の形態２では、噴孔プレート１５の上流面上の、先端弁部８ａの底部８ａ２との対向位置に、弁座軸心１０ｓの上流側へ突出する凸部１５ｄを有し、開弁の際には、先端弁部８ａの底部８ａ２と凸部１５ｄが当接することで開弁が終了する。
凸部１５ｄを設けることで、開弁時の弁体８と噴孔プレート１５の当接面積が小さくなり、従って凸部１５ｄが無い場合に対して閉弁時に弁体８を噴孔プレート１５から引き離すのに必要なエネルギーが少なくて済むことから、閉弁時の弁体移動時間を短縮することが出来る。
【００２５】
この実施の形態２では、噴孔プレート１５上の凸部１５ｄが噴孔プレート１５と一体に形成されているが、それに限ったものではなく、凸部を形成する部分とその他の部分は別体であっても上記と同様の効果が得られる。なお、この実施の形態２において凸部を設けた理由は、弁体８と噴孔プレート１５の接触面積を小さくすることであるから、凸部に限らず、プレート上流側端面の弁体８との接触面に溝などを設けた場合についても上記と同様の効果が得られる。
【００２６】
実施の形態３．
図８に基づいて実施の形態３にかかる燃料噴射弁を説明する。
この実施の形態３の燃料噴射弁は、実施の形態２の変形例である。
この実施の形態２では、先端弁部８ａの底部８ａ２に凸部８ｄを有しており、開弁の際には、この凸部８ｄが噴孔プレート１５の上流面と当接することで開弁が終了し、実施の形態２と同様の効果が得られる。
【００２７】
実施の形態４．
図９〜１２に基づいて実施の形態４にかかる燃料噴射弁を説明する。
まず、図９の燃料噴射弁について説明する。図１０〜１２は、図９の変形例である。
この実施の形態４の燃料噴射弁は、噴孔プレート１５の上流面上に、先端弁部８ａの底部８ａ２との対向位置に、弁座軸心１０ｓの上流側へ突出する凸部１５ｅを有し、先端弁部８ａの底部８ａ２には、凸部１５ｅと嵌め合う凹部８ｅを有し、摺動部を構成している。
このように構成することによって、リフト開弁（リフト動作）時には、噴孔プレート１５の凸部１５ｅが弁体８の凹部８ｅをガイドする役目を果たしている。更に、弁体８と噴孔１２の位置バラツキ低減の役割を果たすことにより、シート部から各噴孔１２までの距離のバラツキが小さくなり、各噴孔からの単噴霧間の微粒化レベルのバラツキが小さくなる。更に、微粒化レベルのバラツキが小さくなることから、各噴孔からの噴霧によって形成される集合噴霧内の均一性が増し、燃焼性が向上し、従って燃費向上に有効と言える。
凸部１５ｅの形状については、図９のような形状に限ったものではなく、図１１、図１２のように、テーパ状の凹凸部８ｇ、１５ｇである場合や、球状の凹凸部８ｈ、１５ｈにした場合でも上記と同様の効果が得られる。
なお、この実施の形態４では、噴孔プレート１５側に凸部、弁体８側に凹部を有していたが、図１０に示すように噴孔プレート１５側に凹部１５ｆ、弁体８側に凸部８ｆを設けた場合でも上記と同様の効果が得られる。
【００２８】
実施の形態５．
図１３に基づいて実施の形態５にかかる燃料噴射弁を説明する。
図１３に示した実施の形態５の燃料噴射装置は、噴孔１２の孔長が、弁座軸心１０ｓに対して径方向内側の噴孔長さよりも径方向外側の噴孔長さが短くなるように設定されている。そして、このような構成にするため、噴孔出口部１２ｂの一部、すなわち弁座軸心１０ｓの径方向外側に、プレス成形による凹部（くぼみ部）１２ｆが設られている。なお、この凹部１２ｆの底面は、噴孔出口部１２ｂの周縁部の少なくとも一部分を開口した形状であり、噴孔出口部１２ｂの他の部分は、噴孔プレート１５の下流側端面に開口、もしくは凹部１２ｆの内面に接しているように形成されている。又、噴孔１２内の流路において、噴孔入口部１２ａから凹部１２ｆまでの間に最小断面積となる円柱部分が確保されることにより、インジェクタの個体ごとの流量のバラツキを抑制している。
又、このように構成することで、弁座軸心１０ｓに対して径方向内側に噴孔部が確保され、燃料噴射の指向性を犠牲にすることなく、噴孔長さが短く形成された径方向外側の噴孔により噴孔内部での圧力損失を低減させることが可能であり、これにより、噴孔出口部１２ｂにおける燃料速度が高い状態で噴射され、燃料と空気との相対速度が増大し、空気が燃料液滴を分裂させるせん断力が増すことで噴射された燃料噴霧の微粒化が促進される。
【００２９】
実施の形態６．
図１４に基づいて実施の形態６にかかる燃料噴射弁を説明する。
なお、図１４（ａ）は燃料噴射弁の開弁状態を示す断面図、（ｂ）は噴孔１２における燃料の流れを説明するための説明図である。
噴孔部のプレス成形の際には、抜き方向を弁座軸心１０ｓの上流側から下流側とすることで、噴孔入口部１２ａには、抜き角度に応じたダレ１２ｇが形成され、噴孔出口部１２ｂにはバリが形成される。
前記の通り噴孔出口部１２ｂは、弁座軸心１０ｓに対して噴孔入口部１２ａの外側に配置されているため、噴孔１２の入口縁部のダレ１２ｇは、主に弁座軸心１０ｓに対して内側に形成される。
このダレ１２ｇの形成により、図１４（ｂ）に示すように弁座軸心１０ｓの内側から外側に向かう燃料流れの、噴孔入口部１２ａにおける剥離が抑制され、弁座軸心１０ｓの内側から外側に向かう流れ（矢印ア参照）が強化されることで、噴孔出口部１２ｂから噴射された後の燃料噴霧の拡がり（イ参照）が強化され、従って燃料噴霧の微粒化が促進される。なお、図１４（ｂ）において、（ウ）は噴孔入口部１２ａにダレ面が形成された場合の燃料噴霧稜線を示し、（エ）は噴孔入口部１２ａにダレ無しの場合の燃料噴霧稜線を示したものであり、これによっても噴孔出口部１２ｂから噴射された後の燃料噴霧の拡がりが、強化されていることが判る。
【００３０】
実施の形態７．
図１５に基づいて実施の形態７にかかる燃料噴射弁を説明する。
図１５は、この発明の実施の形態７における燃料噴射弁の開弁状態を示し、（ａ）は要部を拡大して示した断面図、（ｂ）は図（ａ）中の矢印Ｙ方向から見た平面図である。
噴孔出口部１２ｂに形成する凹部１２ｆをプレス成形で加工することで、噴孔プレート１５の上流側平面に位置する噴孔入口部１２ａ付近にハラミ１５ｇが形成される。
このハラミ１５ｇは、噴孔入口部１２ａと噴孔出口部１２ｂと凹部１２ｆの位置関係から、弁座軸心１０ｓに対して径方向外側の部分に多く形成される。
このように噴孔入口部１２ａ周辺にハラミ１５ｇが存在することによって、弁座軸心１０ｓから直接噴孔１２に流入せずに一旦外周側に衝突しＵターンして噴孔１２に返ってくる燃料は、流れ（矢印カ参照）が弱まり、そのため弁座軸心１０ｓから直接噴孔１２に流入する流れ（矢印オ参照）が相対的に強化され、従ってより噴孔出口部１２ｂにおける燃料速度が高い状態で燃料が噴射されることから、噴霧の微粒化が促進される。
【００３１】
なお、この発明は、上記実施の形態１〜７に限定されるものではなく、その要旨を逸脱しない範囲で種々の設計変更が可能である。
なお又、この発明は、その発明の範囲内において、各実施の形態を適宜、変形、省略することが可能である。
【符号の説明】
【００３２】
１：燃料噴射弁、２：ソレノイド装置、３：ハウジング、４：スリーブ、
５：コイル、６：アマチュア、７：弁装置、８：弁体、８a：先端弁部、
８ａ１：ドーム状の弁体シート部、８ａ２：底部、８ａａ：先端弁部の外周縁部、
８ｂ：ガイド部、８ｃ：平面部、８ｄ：凸部、８ｅ：凹部、９：弁本体、
１０：弁座、  ０ｓ：弁座軸心、１０ａ：弁座シート部、１０ａ１：シート面、
１０ａ２：延長テーパ面、１０b：内径部、１１：チューブ、１２：噴孔、
１２ａ：噴孔入口部、１２ｂ：噴孔出口部、１２ｃ：噴孔入口部の軸心、
１２ｆ：凹部（くぼみ部）、１２ｇ：ダレ、１３：スプリング、１４：キャビティ、
１５：噴孔プレート、１５a：溶接部、１５ｄ：凸部、１５ｅ：凸部、
１５ｆ：凹部（くぼみ部）、１５ｇ：ハラミ、１６：スプリング受け。
【要約】
【課題】流路内での圧力損失が低減し噴孔出口部における燃料速度が高い状態で噴射され燃料と空気との相対速度が増大し空気が燃料液滴を分裂させるせん断力が増すことで燃料噴霧の微粒化が促進される燃料噴射弁を得る。
【解決手段】弁座シート部はシート面と延長テーパ面で構成、先端弁部は弁体シート部と底部で構成、噴孔入口部は先端弁部の最外周縁部の外側に配置、噴孔入口部の中心はシート面の延長線と噴孔プレートの交差により形成される仮想円の内側に配置、噴孔出口部の中心は噴孔入口部の中心に対して弁座軸心の径方向外側に配置、弁座軸心とシート面との狭み角をα、弁座軸心と延長テーパ面との狭み角をβ、噴孔プレートの板厚方向と噴孔の軸心との角をγとした時、|α−β|≦２０°、かつ|α−γ|≦３０°の関係を、噴孔の入口部中心から弁座軸心方向の高さをｈｃ、噴孔径をｄとした時、πｄ２/４≦ｈｃ≦１.５ｄの関係を満たすものである。
【選択図】図４【図１】
0005631442.tif 000002
【図２】
0005631442.tif 000003
【図３】
0005631442.tif 000004
【図４】
0005631442.tif 000005
【図５】
0005631442.tif 000006
【図７】
0005631442.tif 000007
【図８】
0005631442.tif 000008
【図９】
0005631442.tif 000009
【図１０】
0005631442.tif 000010
【図１１】
0005631442.tif 000011
【図１２】
0005631442.tif 000012
【図１５】
0005631442.tif 000013
【図６】
0005631442.tif 000014
【図１３】
0005631442.tif 000015
【図１４】
0005631442.tif 000016